(57)【要約】【課題】願い事をするときは一方の目に黒目を表示させ、願い事が叶ったときには他方の目に黒目を表示させ、従来のダルマと同じような黒目の入れ方ができる上、日常のささやかな願い事を繰り返しできる新しい発想のダルマを提供すること【解決手段】ダルマ本体１には白目と黒目とが上下に配置された右目玉表示体４ａと左目玉表示体４ｂとを上下に回動可能且つ、白目若しくは黒目がダルマ本体１の前面に形成された開口部３から視認できるように配置し、上記右目玉表示体４ａと左目玉表示体４ｂとを上記開口部３から黒目が表示される方向にそれぞれ個別に回動させる回動操作部材５と、回動状態をそれぞれ個別に維持する維持部材２０と、維持部材２０による維持状態を解除する解除操作部材６とを備えるとともに、上記回動操作部材５と、解除操作部材６とは後端をダルマ本体１の背面から後方に突出させ外部から操作可能にした。【選択図】図１
2009213662.tif 000002
【特許請求の範囲】
【請求項１】
以下の要件を備えることを特徴とする、ダルマ。
（イ）ダルマ本体には白目と黒目とが上下に配置された右目玉表示体と左目玉表示体とを上下に回動可能に配置し、上記目玉表示体の白目若しくは黒目はダルマ本体の前面に形成された開口部から視認できるようにしたこと
（ロ）上記右目玉表示体と左目玉表示体とを上記開口部から黒目が表示される方向にそれぞれ個別に回動させる回動操作部材と、回動状態をそれぞれ個別に維持する維持部材と、維持部材による維持状態を解除する解除操作部材とを備えたこと
（ハ）上記回動操作部材と、解除操作部材とは後端をダルマ本体の背面から後方に突出させ外部から操作可能にしたこと
【請求項２】
前記解除操作部材は維持部材による目玉表示体の維持を同時に解除する、請求項１記載のダルマ。
【発明の詳細な説明】
【技術分野】
【０００１】
本発明は、ダルマ、詳しくは願い事を繰り返しお願いすることができるダルマに関するものである。
【背景技術】
【０００２】
昔から開運の縁起物として、願い事をするときダルマの一方の目に黒目を書き入れ、願いが叶った時に他方の目に黒目を書き入れる慣わしがあるが、黒目を綺麗に書き入れることができなかったり、書き入れる筆がなかったりすることから、黒目を書き入れないで済むダルマが提案されている（例えば、特許文献１）。このダルマは、両目に黒目が予め書き入れてあり、一方の目には不透明な剥離紙が貼られており、願いが叶ったときには剥離紙を剥がして両目に黒目が表示されるようにしたものである。
【特許文献１】実開平６−２９５９２号公報
【発明の開示】
【発明が解決しようとする課題】
【０００３】
本発明が解決しようとする問題点は、上述のダルマでは一方の目には既に黒目が表示されており、黒目が表示された状態で願い事をすることになり、願い事が叶うように祈りながら黒目を書き入れることはできないし、願いが叶わなかったときには、そのままの状態で新たな願い事をしなければならず、叶わなかった願いを引きずりながら新たな願い事をするのには抵抗感があった。
【０００４】
本発明は、上記問題点を解決し、願い事をするときは一方の目に黒目を表示させ、願い事が叶ったときには他方の目に黒目を表示させるとともに、願い事が叶わなかったときには一旦黒目の表示を全てリセットし、新たに願い事をするときに改めて黒目を表示させることができ、昔からのダルマと同じような黒目の表示のさせ方ができる上、日常のささやかな願い事を繰り返しできる新しい発想のダルマを提供することを課題とする。
【課題を解決するための手段】
【０００５】
前記課題を解決するために本発明に係るダルマは、以下の要件を備えることを特徴とする。
（イ）ダルマ本体には白目と黒目とが上下に配置された右目玉表示体と左目玉表示体とを上下に回動可能に配置し、上記目玉表示体の白目若しくは黒目はダルマ本体の前面に形成された開口部から視認できるようにしたこと
（ロ）上記右目玉表示体と左目玉表示体とを上記開口部から黒目が表示される方向にそれぞれ個別に回動させる回動操作部材と、回動状態をそれぞれ個別に維持する維持部材と、維持部材による維持状態を解除する解除操作部材とを備えたこと
（ハ）上記回動操作部材と、解除操作部材とは後端をダルマ本体の背面から後方に突出させ外部から操作可能にしたこと
【０００６】
なお、前記解除操作部材は維持部材による目玉表示体の維持を同時に解除することができるようにすればよい。
【発明の効果】
【０００７】
請求項１の発明によれば、昔から使用されているダルマと同様に願い事をしながら片方の目に黒目を表示させ、願いが叶えばもう一方の目に黒目を表示させることができるし、もし叶わない場合には黒目が表示されたまま新たな願い事をするような抵抗感が解消され、新たな気持ちで願い事をしながら黒目を入れることができるし、繰り返し願い事ができるので日常のささやかな願い事もダルマに託すことができる新しい発想のダルマを提供することができる。
【０００８】
請求項２の発明によれば、一度の操作で両方の黒目を同時にリセットすることができ、両目から確実に黒目を消すことができるとともに、一気に初期状態にすることができるので新たな気持ちで願い事をすることができる。
【発明を実施するための最良の形態】
【０００９】
図１（ａ）（ｂ）は、本発明に係るダルマの正面側斜視図及び背面側斜視図を示し、このダルマは本体１の前面に顔２が表示され、顔２には目を模した円形の開口部３が形成されている。この開口部３は右目用の右開口部３ａ、左目用の左開口部３ｂとから構成され、この開口部３ａ、３ｂから目玉表示体４（右目玉表示体４ａ、左目玉表示体４ｂ）の前面が視認できるようになっている。そして、背面には後述する、目玉表示体４（右目玉表示体４ａ、左目玉表示体４ｂ）を回動させる回動操作部材５（５ａ、５ｂ）と、回動状態をリセットする解除操作部材６の後端が後方に突出し、背面から押し操作できるようになっている。
【００１０】
図２は上記ダルマＡの構造を説明する分解斜視図を示し、このダルマは本体１が前筐体１０と後筐体１１とで形成されネジ１４で一体になるように構成されている。前筐体１０には右目用の右開口部３ａと左目用の左開口部３ｂとが形成され、後筐体１１には回動操作部材５（５ａ、５ｂ）を摺動可能にガイドする筒状のガイド部１２（１２ａ、１２ｂ）と、解除操作部材６を摺動可能にガイドする筒状のガイド部１３とが形成され、このガイド部１２、１３は後筐体１１に開口し、回動操作部材５（５ａ、５ｂ）と解除操作部材６の後端は背面から後方に突出している。
【００１１】
表示体４（右目玉表示体４ａ、左目玉表示体４ｂ）は側面視略扇状に形成され、前面の下部には黒い円形に塗られた黒目１５、上部は白色に塗られた白目１６とが形成され、扇のカナメに相当する部分の両側面から側方に突出して軸部１７が形成され、前筐体１０に形成された軸支部（図示せず）に上下に回動可能に支持されている。この表示体４の下側には、回動操作部材５（５ａ、５ｂ）の先端が係合する係合板１８と、後述する維持部材２０の係合爪２６の先端が係合する係合凸部１９とが形成され、下面に形成されたフック２１にスプリング２２の一端が掛けられ、このスプリング２２で表示体４は支軸１７を中心に下方に回動するように付勢されている。
【００１２】
維持部材２０は、右目玉表示体４ａ、左目玉表示体４ｂに対応して右目用の維持部材２０ａ、左目用の維持部材２０ｂからなり、軸体２５から前方に係合爪２６、上方にリセット爪２７がそれぞれ突出して側面視略Ｌ字状に形成され、軸体２５の両端が本体１に形成された軸受（図示せず）に軸支されて上下に回動可能に配置されている。そして、軸体２５から下方に突出して形成されたフック２８にスプリング２２の他端が掛けられ、このスプリング２２で維持部材２０は上方に回動するように付勢されているので、係合爪２６は常に上記表示体４の下面に当接している。
【００１３】
回動操作部材５は、丸棒状に形成され、右目玉表示体４ａ、左目玉表示体４ｂに対応して右目用の回動操作部材５ａ、左目用の回動操作部材５ｂからなり、前筐体１０にネジ３１で固定されたガイド部材３０に形成されたガイド筒３２に前部が挿通し、後部が後筐体１１のガイド部１２（１２ａ、１２ｂ）にガイドされて前後にスライド可能に配置され、後端が後筐体１１の背面から後方に突出するとともに、先端５０は表示体４の係合板１８の背面に当接するように配置されている。
【００１４】
解除操作部材６は丸棒状に形成され、後部が後筐体１１のガイド部１３に挿通して前後にスライド可能に配置され、後端が後筐体１１の背面から後方に突出するとともに、中央上面に立設した係合板３５がガイド部材３０の背面に形成された２枚のガイド板３６に挟まれて、軸方向に回転しないようになっているとともに、両側面から所定間隔を置いて押圧板３７ａ、３７ｂが形成され、この押圧板３７ａ、３７ｂの先端はそれぞれ維持部材２０ａ、２０ｂのリセット爪２７の背面に当接する位置に配置され、解除操作部材６を後方から押し操作したときには、押圧板３７ａ、３７ｂの先端がリセット爪２７を押して維持部材２０を前方に押圧し、係合爪２６をスプリング２２に抗して下方に回動させ表示体４の係止を解除させることができるようになっている。
【００１５】
次に、上記構成のダルマの使用態様について説明する。先ず、ダルマを初期状態にするため、解除操作部材６を押し操作する（図３（ａ）、図４（ａ）参照）。押圧板３７（３７ａ、３７ｂ）が維持部材２０（２０ａ、２０ｂ）のリセット爪２７に対応しているので、押圧板３７はリセット爪２７を前方に押圧し、維持部材２０を軸体２５を中心に下方に回動させるので係合爪２６と係合凸部１９との係合が外れ、目玉表示体４はスプリング２２に付勢されて、下方に回動し、黒目１５は本体１の開口部３より低い位置に移動するので開口部３には白目１６が対応し、両目から黒目１５が視認できない初期状態にすることができる（図５（ａ）参照）。
【００１６】
次に、願い事をするときは、願い事を紙に書いたり、頭の中で唱えたりしながら本体１の背面から後方に突出している回動操作部材５ａを押し操作する(図４ａ参照)。回動操作部材５ａの先端５０は、右目玉表示体４ａの係合板１８を押圧しスプリング２２に抗して軸部１７を中心に右目玉表示体４ａを上方に回動させるので、黒目１５が上方に移動して本体１の右目の開口部３ａに対応する位置に到達し、前面から右目の黒目１５が視認できるようになる（図５（ｂ）参照）。
【００１７】
この状態では、維持部材２０はスプリング２２に付勢されて上方に回動し、係合爪２６の先端が係合凸部１９に係合する位置になっているので、回動操作部材５ａの押し操作を解除しても右目玉表示体４ａの回動状態は維持され、右目の黒目１５は開口部３ａから消えることはない。
【００１８】
願い事が叶った場合は、左目玉表示体４ｂの黒目１５を左目の開口部３ｂに表示させるために、右目玉表示体４ａの場合と同様に、本体１の背面から後方に突出している回動操作部材５ｂを押し操作する。回動操作部材５ｂの先端５０は、左目玉表示体４ｂの係合板１８を押圧しスプリング２２に抗して軸部１７を中心に左目玉表示体４ｂを上方に回動させるので、黒目１５が上方に移動して本体１の左目の開口部３ｂに対応する位置に到達し、前面から左目の黒目１５が視認できるようになり、両目に黒目１５が表示された状態になる（図５（ｃ）参照）。
【００１９】
新たに願い事をする場合は、解除操作部材６を押し操作してダルマを初期状態にし、新たに願い事をするため、紙に書いたり、頭の中で唱えたりしながら本体１の背面から後方に突出している回動操作部材５ａを押し操作すればよい。
【００２０】
このように、初期化を簡単に行なうことができるので、繰り返し願い事ができるので、合格祈願や安産祈願などの大きな願いに代えて、明日の天気を祈ったり、仕事が上手くいくように願ったり、デイトが成功するように祈ったり日常の願い事を気軽にすることができ、新しい発想のダルマを実現することができる。
【００２１】
なお、願い事が叶わず、新たに願い事をする場合もダルマを初期状態にすれば、両目から黒目１５が消えるので、叶わなかった願いを引きずりながら新たな願いをすることがなくなり、従来提案されているダルマのように黒目が残ったまま新しい願い事をする抵抗感がなくなり、新たな気持で願い事をするダルマを提供することができる。
【図面の簡単な説明】
【００２２】
【図１】（ａ）（ｂ）は本発明に係るダルマの正面側斜視図及び背面側斜視図
【図２】上記ダルマの構造を説明する分解斜視図
【図３】（ａ）（ｂ）は右目玉表示体のセットとリセットとを説明する要部側面図
【図４】（ａ）〜（ｃ）は目玉表示体と回動操作部材及び解除操作部材との関係を説明する要部底面図
【図５】（ａ）〜（ｃ）はダルマの使用状態を説明する正面側斜視図
【符号の説明】
【００２３】
１    本体
２    顔
３    開口部
４    目玉表示体
４ａ    右目玉表示体
４ｂ    左目玉表示体
５    回動操作部材
６    解除操作部材
２０    維持部材
Ａ    ダルマ
【図１】
2009213662.tif 000003
【図２】
2009213662.tif 000004
【図３】
2009213662.tif 000005
【図４】
2009213662.tif 000006
【図５】
2009213662.tif 000007